(57)【要約】      （修正有）【課題】使用する機能に対応した複数の入力部（入力装置）を有し、各入力部の状態に対応して、使用できる機能を自動的に調整する。【解決手段】表示部７、第１入力部２、第２入力部３、第１結合部１８、第２結合部１９および制御部１６を具備する情報処理装置を用いる。第１結合部１８は表示部７を第１入力部２に回転自在に結合する。第２結合部１９は第２入力部３を第１入力部２に回転自在に結合する。第２入力部３は、第１入力部２の下部へ折り畳み可能である。制御部１６は、表示部７、第１入力部２及び第２入力部３が互いに重なっていないとき第１入力部２及び第２入力部３の入力を受け付ける。第１入力部２と第２入力部３とが重なり表示部７とは重なっていないとき第２入力部３からの入力を受け付けない。【選択図】図１Ｂ
2005141336.tif 000002
【特許請求の範囲】
【請求項１】
表示部と、
第１入力部と、
第２入力部と、
前記表示部を前記第１入力部の第１側部に回転自在に結合する第１結合部と、
前記第２入力部を前記第１入力部の第２側部に回転自在に結合する第２結合部と
を具備する
情報処理装置。
【請求項２】
請求項１に記載の情報処理装置において、
前記第１入力部は、入力操作が可能な第１面と前記第１面の反対側の第２面とを含み、
前記第２入力部は、入力操作が可能な第３面と前記第３面の反対側の第４面とを含み、
前記表示部は、表示面を含み、
前記第２入力部は、前記第４面が前記第２面に向かい合うように折り畳み可能である
情報処理装置。
【請求項３】
請求項２に記載の情報処理装置において、
前記第１入力部は、前記第１面が前記表示面の一部を覆うように折り畳み可能である
情報処理装置。
【請求項４】
請求項３に記載の情報処理装置において、
前記第２入力部は、前記第１入力部の前記第１面が前記表示面の一部を覆うとき、前記第３面が前記表示面のうちの前記第１入力部に覆われていない一部を覆うように折り畳み可能である
情報処理装置。
【請求項５】
請求項２に記載の情報処理装置において、
前記第１入力部及び前記第２入力部を制御する制御部を更に具備し、
前記制御部は、前記表示部、前記第１入力部及び前記第２入力部のいずれもが互いに重なっていないとき、前記第１入力部及び前記第２入力部からの入力を受け付ける
情報処理装置。
【請求項６】
請求項５に記載の情報処理装置において、
前記制御部は、前記第１入力部と前記第２入力部とが前記第２面と前記第４面とを向かい合わせるように重なり、前記表示部とは重なっていないとき、前記第２入力部からの入力を受け付けない
情報処理装置。
【請求項７】
請求項５又は６に記載の情報処理装置において、
前記制御部は、前記第１入力部と前記第２入力部とが前記第２面と前記第４面とを向かい合わせるように重なり、前記第１入力部と前記表示部とが前記第１面と前記表示面とを向かい合わせるように重なっているとき、前記第１入力部及び前記第２入力部からの入力を受け付けない
情報処理装置。
【請求項８】
請求項５乃至７のいずれか一項に記載の情報処理装置において、
前記制御部は、前記表示部と前記第１入力部及び前記第２入力部とが、前記表示面と前記第１面及び前記第３面とを向かい合わせるように重なっているとき、前記第１入力部及び前記第２入力部からの入力を受け付けず、前記表示部での表示をオフにする
情報処理装置。
【請求項９】
請求項５乃至８のいずれか一項に記載の情報処理装置において、
前記表示部及び前記第１入力部の少なくとも一方に設けられ、前記表示部と前記第１入力部との間の位置関係を検出する第１検出部と、
前記第１入力部及び前記第２入力部の少なくとも一方に設けられ、前記第１入力部と前記第２入力部との間の位置関係を検出する第２検出部と
を更に具備し、
前記制御部は、前記第１検出部及び前記第２検出部からの検出結果に基づいて、前記第１入力部及び前記第２入力部を制御する
情報処理装置。
【請求項１０】
請求項１乃至９のいずれか一項に記載の情報処理装置としてのコンピュータであって、
前記表示部は、フラットパネルディスプレイを含み、
前記第１入力部は、テレビジョン機能及びコンピュータ機能の少なくとも一つを選択可能な前面操作盤を含み、
前記第２入力部は、キーボードを含み、
前記第１結合部及び前記第２結合部は、ヒンジ機構を含む
コンピュータ。
【請求項１１】
表示面を含む表示部と、入力操作が可能な第１面と前記第１面の反対側の第２面とを含む第１入力部と、入力操作が可能な第３面と前記第３面の反対側の第４面とを含む第２入力部と、前記表示部を前記第１入力部の第１側部に回転自在に結合する第１結合部と、前記第２入力部を前記第１入力部の第２側部に回転自在に結合する第２結合部とを備える情報処理装置の動作方法であって、
（ａ）前記表示部と前記第１入力部と前記第２入力部との間の位置関係を検出するステップと、
（ｂ）前記表示部、前記第１入力部及び前記第２入力部のいずれもが互いに重なっていないとき、前記第１入力部及び前記第２入力部からの入力を受け付け可能とするステップと
を具備する情報処理装置の動作方法。
【請求項１２】
請求項１１に記載の情報処理装置の動作方法において、
（ｃ）前記第１入力部と前記第２入力部とが前記第２面と前記第４面とを向かい合わせるように重なり、前記表示部とは重なっていないとき、前記第２入力部からの入力を受け付け不可能とするステップを更に具備する情報処理装置の動作方法。
【請求項１３】
請求項１１又は１２に記載の情報処理装置の動作方法において、
（ｄ）前記第１入力部と前記第２入力部とが前記第２面と前記第４面とを向かい合わせるように重なり、前記第１入力部と前記表示部とが前記第１面と前記表示面とを向かい合わせるように重なっているとき、前記第１入力部及び前記第２入力部からの入力を受け付け不可能にするステップを更に具備する情報処理装置の動作方法。
【請求項１４】
請求項１１乃至１３のいずれか一項に記載の情報処理装置の動作方法において、
（ｅ）前記表示部と前記第１入力部及び前記第２入力部とが前記表示面と、前記第１面及び前記第３面とを向かい合わせるように重ねているとき、前記第１入力部及び前記第２入力部からの入力を受け付け不可能とし、前記表示部での表示をオフにするステップを更に具備する情報処理装置の動作方法。
【請求項１５】
表示面を含む表示部と、入力操作が可能な第１面と前記第１面の反対側の第２面とを含む第１入力部と、入力操作が可能な第３面と前記第３面の反対側の第４面とを含む第２入力部と、前記表示部を前記第１入力部の第１側部に回転自在に結合する第１結合部と、前記第２入力部を前記第１入力部の第２側部に回転自在に結合する第２結合部と、前記表示部及び前記第１入力部の少なくとも一方に設けられ、前記表示部と前記第１入力部との間の位置関係を検出する第１検出部と、前記第１入力部及び前記第２入力部の少なくとも一方に設けられ、前記第１入力部と前記第２入力部との間の位置関係を検出する第２検出部とを備える情報処理装置の動作方法であって、
（ａ）前記第１検出部及び前記第２検出部からの検出結果に基づいて、前記表示部と前記第１入力部と前記第２入力部との間の位置関係を判断するステップと、
（ｂ）前記表示部、前記第１入力部及び前記第２入力部のいずれもが互いに重なっていないとき、前記第１入力部及び前記第２入力部からの入力を受け付け可能にするように前記第１入力部及び前記第２入力部を制御するステップと
を具備する動作方法をコンピュータに実行させるプログラム。
【請求項１６】
請求項１５に記載のプログラムにおいて、
（ｃ）前記第１入力部と前記第２入力部とが前記第２面と前記第４面とを向かい合わせるように重なり、前記表示部とは重なっていないとき、前記第２入力部からの入力を受け付け不可能とするように前記第１入力部及び前記第２入力部を制御するステップを更に具備するプログラム。
【請求項１７】
請求項１５又は１６に記載のプログラムにおいて、
（ｄ）前記第１入力部と前記第２入力部とが前記第２面と前記第４面とを向かい合わせるように重なり、前記第１入力部と前記表示部とが前記第１面と前記表示面とを向かい合わせるように重なっているとき、前記第１入力部及び前記第２入力部からの入力を受け付け不可能とするように前記第１入力部及び前記第２入力部を制御するステップを更に具備するプログラム。
【請求項１８】
請求項１５乃至１７のいずれか一項に記載のプログラムにおいて、
（ｅ）前記表示部と前記第１入力部及び前記第２入力部とが前記表示面と、前記第１面及び前記第３面とを向かい合わせるように重ねているとき、前記第１入力部及び前記第２入力部からの入力を受け付け不可能とし、前記表示部での表示をオフにするように前記第１入力部、前記第２入力部及び前記表示部を制御するステップを更に具備するプログラム。
【発明の詳細な説明】
【技術分野】
【０００１】
本発明は、情報処理装置、コンピュータ、情報処理装置の動作方法に関する。
【背景技術】
【０００２】
液晶表示装置のようなフラットパネルディスプレイとコンピュータ本体とが一体となったコンピュータが知られている。これらは、使用時に入力機器の一つであるキーボードを取り出し、未使用時にキーボードを収納して、他の仕事の邪魔にならないようにする機能を有している。
【０００３】
一方、テレビジョン放送を受信し、ディスプレイ上に表示するコンピュータが知られている。これらは、コンピュータを起動後に、テレビジョン用のアプリケーションを起動して、表示画面上に表示させる。すなわち、コンピュータの使用が前提であり、ユーザがコンピュータを使用できることが前提となっている。
【０００４】
関連する技術として、例えば、特開２００３−２７１２８０号公報に、電子機器及びその制御方法並びにプログラムの技術が開示されている。この技術の電子機器は、入出力装置部を備えた電子機器である。そして、取り付け手段と、検出手段と、表示制御手段とを備える。取り付け手段は、入力装置部をディスプレイ部の下端付近に取り付ける。検出手段は、入出力装置部によってディスプレイ部の表示領域の一部が覆われた状態であることを検出する。表示制御手段は、検出手段によってその状態が検出されている間、ディスプレイ部の表示領域のうち入力装置部によって覆われていない部分の表示態様を制御する。
【０００５】
特開２００１−１２５６７１号公報に、キーボード収納型コンピュータの技術が開示されている。この技術のキーボード収納型コンピュータは、ディスプレイとコンピュータ本体が一体型になっているデスクトップ型コンピュータである。ディスプレイの下とコンピュータが設置される机の表面との間に、且つ、コンピュータの外周空間内に納まるようにキーボードの一部を直接机に設置した状態から収納可能にしている。
【０００６】
特開平３−２２５４０４号公報に、パーソナルコンピュータの技術が開示されている。この技術のパーソナルコンピュータは、キーボードを含む本体にヒンジ機構を介してディスプレイデバイスが回転自在に取り付けられる携帯型パーソナルコンピュータである。キーボードと、キーボードの状態を知する手段と、電源オフ信号を供給する手段と、動作を継続実行する手段とを具備する。キーボードは、本体に収納／引出し可能に設けられている。キーボードの状態を知する手段は、このキーボードの収納／引出し状態を本体に設けられたＣＰＵへ通知する。電源オフ信号を供給する手段は、キーボードの収納状態時にそれまで実行していたプログラムの状態情報を退避した後、本体に設けられた電源ユニットに対して電源オフ信号を供給する。動作を継続実行する手段は、キーボードが引き出し状態にあるとき本体の電源を投入し、プログラムの状態情報を復元して動作を継続実行する。
【０００７】
【特許文献１】特開２００３−２７１２８０号公報
【特許文献２】特開２００１−１２５６７１号公報
【特許文献３】特開平３−２２５４０４号公報
【発明の開示】
【発明が解決しようとする課題】
【０００８】
従って、本発明の目的は、使用する機能に対応した複数の入力部（入力装置）を有する情報処理装置、コンピュータ、情報処理装置の動作方法を提供することにある。
【０００９】
また、本発明の他の目的は、使用する機能に対応して付属の入力部（入力装置）の状態を変更することが可能な情報処理装置、コンピュータ、情報処理装置の動作方法を提供することにある。
【００１０】
本発明の更に他の目的は、付属の入力部（入力装置）の状態に対応して、使用できる機能を自動的に調整する情報処理装置、コンピュータ、情報処理装置の動作方法を提供することにある。
【００１１】
本発明の別の目的は、付属の入力部（入力装置）の状態に対応して、入力部および表示部の少なくとも一方の機能を自動的に調整する情報処理装置、コンピュータ、情報処理装置の動作方法を提供することにある。
【課題を解決するための手段】
【００１２】
以下に、発明を実施するための最良の形態で使用される番号・符号を用いて、課題を解決するための手段を説明する。これらの番号・符号は、特許請求の範囲の記載と発明を実施するための最良の形態との対応関係を明らかにするために括弧付きで付加されたものである。ただし、それらの番号・符号を、特許請求の範囲に記載されている発明の技術的範囲の解釈に用いてはならない。
【００１３】
従って、上記課題を解決するために、本発明の情報処理装置は、図１Ａ、図１Ｂに示すように、表示部（７）と、第１入力部（２）と、第２入力部（３）と、表示部（７）を第１入力部（２）の第１側部に回転自在に結合する第１結合部（１８）と、第２入力部（３）を第１入力部（２）の第２側部に回転自在に結合する第２結合部（１９）とを具備する。
本発明による情報処理装置は、２つの入力部（２、３）（例示：テレビジョン操作（チャンネル、音量、画質などを操作）パネル及びキーボードのような入力機器）を有し、２つの異なる機能（例示：テレビジョン受信表示機能と情報処理機能）に対応させることができるので、機能別に異なる入力部で入力を行うことができ、誤操作を減らすことができる。第１入力部（２）が第１結合部（１８）（例示：ヒンジ機構）で表示部（７）（例示：液晶ディスプレイ、（有機）エレクトロルミネッセンスディスプレイ、プラズマディスプレイのようなフラットパネルディスプレイ）に結合し、第２入力部（３）が第２結合部（１９）（例示：ヒンジ機構）で第１入力部（２）に結合しているので、第１及び第２入力部（２、３）のうちの少なくとも一方について、使用しない方を折り畳んで邪魔にならないようにすることができる。加えて、２つの入力部（２、３）は第１及び第２結合部（１８、１９）で結合しているので、表示部（７）に関する操作を行うときに各入力部（２、３）を探したり、離れた場所に取りに行く必要がなく、セッティングを容易に行うことができる。ここで、３つ目の入力部を設けた場合も、第２入力部（３）に別の結合部で回転自在に取り付けることにより、さらに増やすことができる。４つ目以降の入力部も同様である。
【００１４】
上記の情報処理装置において、図２Ａ、図２Ｂに示すように、第１入力部（２）は、入力操作が可能な第１面（２ａ）と第１面（２ａ）の反対側の第２面（２ｂ）とを含む。第２入力部（３）は、入力操作が可能な第３面（３ａ）と第３面（３ａ）の反対側の第４面（３ｂ）とを含む。表示部（７）は、表示面（７ａ）を含む。そして、第２入力部（３）は、第４面（３ｂ）が第２面（２ｂ）に向かい合うように折り畳み可能である。
本発明により、第２入力部（３）を第１入力部（２）の下側に折り畳むことが可能となるので、第２入力部（３）を使用しない状況では、無駄なスペースを消費することが無い。第２入力部（３）への誤入力を防止できる。加えて、ユーザの作業効率が向上する。
【００１５】
上記の情報処理装置において、図３Ａ、図３Ｂに示すように、第１入力部（２）は、第１面（２ａ）が表示面（７ａ）の一部を覆うように折り畳み可能である。
本発明により、表示部（７）の一部を覆うように第１入力部（２）を表示部（７）上に折り畳むこと（重ねること）が可能となるので、第１入力部（２）を使用しない状況では、無駄なスペースを消費することが無い。第１入力部（２）への誤入力を防止できる。加えて、ユーザの作業効率が向上する。
【００１６】
上記の情報処理装置において、図４Ａ、図４Ｂに示すように、第２入力部（３）は、第１入力部（２）の第１面（２ａ）が表示面（７ａ）の一部を覆うとき、第３面（３ａ）が表示面（７ａ）のうちの第１入力部（２）に覆われていない一部を覆うように折り畳み可能である。
本発明により、第１入力部（２）と第２入力部（３）とを表示部（７）の全体を覆うように折り畳むこと（重ねること）が可能となるので、第１入力部（２）と第２入力部（３）を使用しない状況では、無駄なスペースを消費することが無い。第１入力部（２）及び第２入力部（３）への誤入力を防止できる。
【００１７】
上記の情報処理装置において、図５に示すように、表示部（７）を制御する制御部（１６）を更に具備する。制御部（１６）は、図１Ａ、図１Ｂに示すような表示部（７）、第１入力部（２）及び第２入力部（３）のいずれもが互いに重なっていないとき、第１入力部（２）及び第２入力部（３）からの入力を受け付ける。
本発明により、表示部（７）、第１入力部（２）及び第２入力部（３）のいずれもが互いに重ならず、表示部（７）を視認可能で、第１入力部（２）及び第２入力部（３）を入力装置として使用可能とすることができる。
【００１８】
上記の情報処理装置において、制御部（１６）は、図２Ａ、図２Ｂに示すような第１入力部（２）と第２入力部（３）とが第２面（２ｂ）と第４面（３ｂ）とを向かい合わせるように重なり、表示部（７）とは重なっていないとき、第２入力部（３）からの入力を受け付けない。
本発明により、第１入力部（２）と第２入力部（３）とが重なり、表示部（７）とは重なっていないとき、ユーザが第２入力部（３）から入力することが不可能な状態となるが、そのような状態において第２入力部（３）を入力装置として使用できないようにすることができる。それにより、第２入力部（３）からの誤入力（例示：入力部上に物がぶつかる、挟まるなど）を防止することができる。
【００１９】
上記の情報処理装置において、制御部（１６）は、図３Ａ、図３Ｂに示すような第１入力部（２）と第２入力部（３）とが第２面（２ｂ）と第４面（３ｂ）とを向かい合わせるように重なり、第１入力部（２）と表示部（７）とが第１面（２ａ）と表示面（７ａ）とを向かい合わせるように重なっているとき、第１入力部（２）及び第２入力部（３）からの入力を受け付けない。
本発明により、第１入力部（２）と第２入力部（３）とが重なり、第１入力部（２）と表示部（７）とが重なっているとき、ユーザが第１入力部（２）及び第２入力部（３）から入力することが不可能な状態となるが、そのような状態において第１入力部（２）及び第２入力部（３）からの誤入力（例示：入力部上に物がぶつかる、挟まるなど）を防止することができる。
【００２０】
上記の情報処理装置において、制御部（１６）は、図４Ａ、図４Ｂに示すような表示部（７）と第１入力部（２）及び第２入力部（３）とが、表示面（７ａ）と第１面（２ａ）及び第３面（３ａ）とを向かい合わせるように重なっているとき、第１入力部（２）及び第２入力部（３）からの入力を受け付けず、表示部（７）の表示をオフにする。
本発明により、表示部（７）と第１入力部（２）及び第２入力部（３）とが重なっているとき、ユーザが第１入力部（２）及び第２入力部（３）から入力することが不可能な状態となり、表示部（７）も視認不可能な状態となるが、そのような状態において、第１入力部（２）及び第２入力部（３）からの誤入力（例示：入力部上に物がぶつかる、挟まるなど）を防止し、電力の浪費を防止することができる。表示部（７）の表示をオフにすることについては、表示部（７）の電源をオフする場合や、情報処理装置そのものの電源をオフにする場合などに例示される。
【００２１】
上記の情報処理装置は、図１Ａ、図１Ｂ〜図４Ａ、図４Ｂに示すように、第１検出部（４−１／４−２）と、第２検出部（５−１／５−２）とを更に具備する。第１検出部（４−１／４−２）は、表示部（７）及び第１入力部（２）の少なくとも一方に設けられ、表示部（７）と第１入力部（２）との間の位置関係を検出する。第２検出部（５−１／５−２）は、第１入力部（２）及び第２入力部（３）の少なくとも一方に設けられ、第１入力部（２）と第２入力部（３）との間の位置関係を検出する。制御部（１６）は、第１検出部（４−１／４−２）及び第２検出部（５−１／５−２）からの検出結果に基づいて、第１入力部（２）及び第２入力部（３）及び電源スイッチ（図示されず）を制御する。
【００２２】
上記課題を解決するために本発明のコンピュータは、図１Ａ、図１Ｂ〜図４Ａ、図４Ｂに示すように、上記のいずれか一項の情報処理装置としてのコンピュータ（１）である。表示部（７）は、フラットパネルディスプレイを含む。第１入力部（２）は、テレビジョン機能及びコンピュータ機能の少なくとも一つを選択可能な前面操作盤を含む。第２入力部（３）は、キーボードを含む。第１結合部（１８）及び第２結合部（１９）は、ヒンジ機構を含む。
【００２３】
上記課題を解決するために本発明の情報処理装置の動作方法は、図１Ａ、図１Ｂ〜図４Ａ、図４Ｂに示すような表示部（７）と、入力操作が可能な第１面（２ａ）と第１面（２ａ）の反対側の第２面（２ｂ）とを含む第１入力部（２）と、入力操作が可能な第３面（３ａ）と第３面（３ａ）の反対側の第４面（３ｂ）とを含む第２入力部（３）と、表示部（７）を第１入力部（２）の第１側部に回転自在に結合する第１結合部（１８）と、第２入力部（３）を第１入力部（２）の第２側部に回転自在に結合する第２結合部（１９）とを備える情報処理装置（１）の動作方法である。図９に示すように（ａ）及び（ｂ）ステップを具備する。（ａ）ステップは、表示部（７）と第１入力部（２）と第２入力部（３）との間の位置関係を検出する（Ｓ０１）。（ｂ）ステップは、表示部（７）、第１入力部（２）及び第２入力部（３）のいずれもが互いに重なっていないとき、第１入力部（２）及び第２入力部（３）からの入力を受け付け可能とする（Ｓ０６）。
【００２４】
上記の情報処理装置の動作方法において、図９に示すように（ｃ）第１入力部（２）と第２入力部（３）とが第２面（２ｂ）と第４面（３ｂ）とを向かい合わせるように重なり、表示部（７）とは重なっていないとき、第２入力部（３）からの入力を受け付け不可能とするステップ（Ｓ０８）を更に具備する。
【００２５】
上記の情報処理装置の動作方法において、図９に示すように（ｄ）第１入力部（２）と第２入力部（３）とが第２面（２ｂ）と第４面（３ｂ）とを向かい合わせるように重なり、第１入力部（２）と表示部（７）とが第１面（２ａ）と表示面（７ａ）とを向かい合わせるように重なっているとき、第１入力部（２）及び第２入力部（３）からの入力を受け付け不可能にするステップ（Ｓ１０）を更に具備する。
【００２６】
上記の情報処理装置の動作方法において、図９に示すように（ｅ）表示部（７）と第１入力部（２）及び第２入力部（３）とが表示面（７ａ）と、第１面（２ａ）及び第３面（３ａ）とを向かい合わせるように重ねているとき、第１入力部（２）及び第２入力部（３）からの入力を受け付け不可能（Ｓ１２）とし、表示部（７）の表示をオフにするステップを更に具備する。
【００２７】
上記課題を解決するために本発明のコンピュータに実行可能なプログラムは、図１Ａ、図１Ｂ〜図４Ａ、図４Ｂに示すような表示部（７）と、入力操作が可能な第１面（２ａ）と第１面（２ａ）の反対側の第２面（２ｂ）とを含む第１入力部（２）と、入力操作が可能な第３面（３ａ）と第３面（３ａ）の反対側の第４面（３ｂ）とを含む第２入力部（３）と、表示部（７）を第１入力部（２）の第１側部に回転自在に結合する第１結合部（１８）と、第２入力部（３）を第１入力部（２）の第２側部に回転自在に結合する第２結合部（１９）と、表示部（７）及び第１入力部（２）の少なくとも一方に設けられ、表示部（７）と第１入力部（２）との間の位置関係を検出する第１検出部（４−１／４−２）と、第１入力部（２）及び第２入力部（３）の少なくとも一方に設けられ、第１入力部（２）と第２入力部（３）との間の位置関係を検出する第２検出部（５−１／５−２）とを備える情報処理装置（１）の動作方法に関する。図９に示すように（ａ）及び（ｂ）ステップを具備する動作方法をコンピュータに実行させるプログラムである。（ａ）ステップは、第１検出部（４−１／４−２）及び第２検出部（５−１／５−２）からの検出結果に基づいて、表示部（７）と第１入力部（２）と第２入力部（３）との間の位置関係を判断する（Ｓ０１〜Ｓ０４）。（ｂ）ステップは、表示部（７）、第１入力部（２）及び第２入力部（３）のいずれもが互いに重なっていないとき、第１入力部（２）及び第２入力部（３）からの入力を受け付け可能にするように第１入力部（２）及び第２入力部（３）を制御する（Ｓ０６）。
【００２８】
上記のプログラムにおいて、図９に示すように（ｃ）第１入力部（２）と第２入力部（３）とが第２面（２ａ）と第４面（３ａ）とを向かい合わせるように重なり、表示部（７）とは重なっていないとき、第２入力部（３）からの入力を受け付け不可能とするように第１入力部（２）及び第２入力部（３）を制御するステップ（Ｓ０８）。を更に具備する。
【００２９】
上記のプログラムにおいて、図９に示すように（ｄ）第１入力部（２）と第２入力部（３）とが第２面（２ｂ）と第４面（３ｂ）とを向かい合わせるように重なり、第１入力部（２）と表示部（７）とが第１面（２ａ）と表示面（７ａ）とを向かい合わせるように重なっているとき、第１入力部（２）及び第２入力部（３）からの入力を受け付け不可能とするように第１入力部（２）及び第２入力部（３）を制御するステップ（Ｓ１０）。を更に具備する。
【００３０】
上記のプログラムにおいて、図９に示すように（ｅ）表示部（７）と第１入力部（２）及び第２入力部（３）とが表示面（７ａ）と、第１面（２ａ）及び第３面（３ａ）とを向かい合わせるように重ねているとき、第１入力部（２）及び第２入力部（３）からの入力を受け付け不可能とし、表示部（７）の表示をオフにするように第１入力部（２）、第２入力部（３）及び表示部（７）を制御するステップ（Ｓ１２）。を更に具備する。
【発明の効果】
【００３１】
本発明の情報処理装置（コンピュータ）により、使用する機能に対応した複数の入力部（入力装置）を備えることができる。使用する機能に対応して付属の入力部（入力装置）の状態（位置）を変更することが可能となる。付属の入力部の状態に対応して、使用できる機能を自動的に調整することができる。
【発明を実施するための最良の形態】
【００３２】
以下、本発明の情報処理装置、コンピュータ、コンピュータの動作方法の実施の形態に関して、添付図面を参照して説明する。本実施例において、情報処理装置又はコンピュータとしてパーソナルコンピュータ（以下、「ＰＣ」とも記す）を例に示して説明するが、他のディスプレイおよび入力機器付きの情報処理装置、（携帯）情報端末にも適用可能である。
【００３３】
まず、本発明の情報処理装置（コンピュータ）の実施の形態の構成について、添付図面を参照して説明する。
図１Ａおよび図１Ｂは、本発明の情報処理装置（コンピュータ）を適用したパーソナルコンピュータの実施の形態の構成を示す外観図である。図１Ａが正面から見た図であり、図１Ｂが側面から見た図である。ＰＣ１は、表示部７と、入力部Ａ（第１入力部）２と、入力部Ｂ（第２入力部）３と、ヒンジ部Ａ（第１結合部）１８と、ヒンジ部Ｂ（第２結合部）１９と、センサＡ（第１検出部）４と、センサＢ（第２検出部）５と、ＰＣ本体１７とを具備する。
【００３４】
表示部７は、ディスプレイ８と音声部９とを備える。ディスプレイ８は、液晶ディスプレイ、エレクトロルミネッセンスディスプレイやプラズマディスプレイのようなフラットパネルディスプレイに例示される。ＰＣ本体１７に支持されるように、ＰＣ本体１７と一体に設けられている。音声部９は、スピーカに例示され、フラットパネルディスプレイ８の両側に、ディスプレイ８と一体に設けられている。下端にリモコン受信部３７を備える。
【００３５】
ＰＣ本体１７は、パーソナルコンピュータ本体の情報処理機能と、テレビジョン（以下、「ＴＶ」とも記す）受像機としてのＴＶ受信表示機能とを備える。表示部７と一体となり、支持体１７ａにより支持されている。支持体１７ａは、表示部７の表示面７ａが水平面に対して所望の角度をなすように調整される。
【００３６】
入力部Ａ（第１入力部）２は、選択部３５と、ＴＶ操作部３６を備える。選択部３５は、ＰＣ１の有するＴＶ受信表示機能および情報処理機能の少なくとも一方をスイッチで選択可能である。ＴＶ操作部３６は、ＴＶ放送を受信しているとき、チャンネルの変更や音量の調整を行う。入力部Ａ２は、選択部３５およびＴＶ操作部３６の入力操作が可能な第１面２ａと、第１面２ａの反対側の第２面２ｂとを含む。
入力部Ｂ（第２入力部）３は、ＰＣ１の有する情報処理機能を用いる際の入力装置となるキーボード１３を有する。キーボード１３の入力操作が可能な第３面３ａと第３面３ａの反対側の第４面３ｂとを含む。
【００３７】
ヒンジ部Ａ（第１結合部）１８は、表示部７の下端と入力部Ａ２の一方の側部（第１側部）とを回転自在に結合するヒンジ機構である。入力部Ａ２を表示部７に対して相対的に矢印Ｒ２のように回転させることができる。ヒンジ部Ａは、表示部７と入力部Ａ２とを回転自在に結合可能な他の機構を用いても良い。
ヒンジ部Ｂ（第２結合部）１９は、入力部Ａ２の他方の側部（第２側部）と入力部Ｂ３の側部とを回転自在に結合するヒンジ機構である。入力部Ｂ３を入力部Ａ２に対して相対的に矢印Ｒ１のように回転させることができる。ヒンジ部Ｂは、入力部Ｂ３と入力部Ａ２とを回転自在に結合可能な他の機構を用いても良い。
なお、ＰＣ本体１７を表示部７の下側にせり出すようにした場合、ヒンジ部Ａ１８を、表示部７の下側のＰＣ本体１７と入力部Ａ２の一方の側部とを回転自在に結合するように設けることも可能である。
【００３８】
センサＡ（第１検出部）４は、センサＡａ４−１及びセンサＡｂ４−２を含む。センサＡａ４−１（第１検出部）は、表示部７の下端に設けられている。センサＡｂ４−２（第１検出部）は、センサＡａ４−１と対応する位置の入力部Ａ２の第１側部に設けられている。これらは、互いの相対的な位置が所定の距離より近いか否かを検知する。その結果として、ここでは、入力部Ａ２が表示部７の一部を覆う位置にあるか否かを検知する。
センサＢ（第２検出部）５は、センサＢａ５−１及びセンサＢｂ５−２を含む。センサＢａ５−１（第２検出部）は、入力部Ａ２の第２側部に設けられている。センサＢｂ５−２（第２検出部）は、センサＢａ５−１と対応する位置の入力部Ｂ３の側部に設けられている。これらも、互いの相対的な位置が所定の距離より近いか否かを検知する。その結果として、ここでは、入力部Ａ２と入力部Ｂ３とが開いた位置にあるか否か（重なる位置にないか否か）を検知する。
センサＡ４、センサＢ５は、リードスイッチや磁気型近接スイッチと永久磁石との組に例示される。ただし、入力部Ａ２と表示部７との相対的な位置関係や入力部Ａ２と入力部Ｂ３との相対的な位置関係を把握可能な他のセンサやスイッチを用いても良い。
【００３９】
このパーソナルコンピュータ１は、表示部７、入力部Ａ２及び入力部Ｂ３が、ヒンジ部Ａ１８及びヒンジ部Ｂ１９により一体に結合されているので、表示部７に関する操作を行うときに各入力部（２、３）を探したり、離れた場所に取りに行く必要がなく、各入力部（２、３）のセッティングを容易に行うことができる。
【００４０】
この状態のパーソナルコンピュータ１は、入力部Ａ２と入力部Ｂ３とを開いた状態である。それにより、ユーザは、入力部Ａ２及び入力部Ｂ３のいずれに対しても入力操作を行うことができる。加えて、入力部Ａ２はＴＶ受信表示機能と情報処理機能の選択及びＴＶ表示時の操作に対応し、入力部Ｂ３は情報処理操作に対応しているので、機能別に異なる入力部で入力を行うことができる。それにより、誤操作を減らすことができる。
【００４１】
図２Ａおよび図２Ｂは、本発明を適用したパーソナルコンピュータの実施の形態の構成の変化形を示す外観図である。図２Ａが正面から見た図であり、図２Ｂが側面から見た図である。ＰＣ１の構成は図１Ａおよび図１Ｂの場合と同じである。ただし、この場合、図１Ａおよび図１Ｂの状態からヒンジ部Ｂ１９において入力部Ｂ３をＲ１（図１Ｂ）のように回転して、入力部Ａ２の下側に折り畳んでいる。すなわち、入力部Ａ２の第２面２ｂと入力部Ｂ３の第４面３ｂとが向かい合うように折り畳んでいる。
【００４２】
例えば、ＴＶ鑑賞やＤＶＤ鑑賞のような入力部Ｂ３が不要な場合、ＰＣ１をこれらの図のような形態にする。この場合、入力部Ｂ３が無駄なスペースを消費することが無く、ユーザの作業効率が向上する。加えて、何らかの拍子に入力部Ｂ３を誤って押してしまうような誤入力を防止できる。
【００４３】
図３Ａおよび図３Ｂは、本発明を適用したパーソナルコンピュータの実施の形態の構成の他の変化形を示す外観図である。図３ＡＢが正面から見た図であり、図３Ｂが側面から見た図である。ＰＣ１の構成は図１Ａおよび図１Ｂの場合と同じである。ただし、この場合、図２Ａおよび図２Ｂの状況から更にヒンジ部Ａ１８において入力部Ａ２をＲ２（図２Ｂ）のように回転して、入力部Ａ２で表示部７（ディスプレイ８）の概ね下半分を覆うように折り畳んでいる。すなわち、入力部Ａ２の第１面２ａと表示部７の表示面７ａとが向かい合い、表示面７ａの一部を覆うように折り畳んでいる。
【００４４】
例えば、ＰＣ１を一時的に使用しないときのような入力部Ａ２（及び入力部Ｂ３）が不要な場合、ＰＣ１をこれらの図のような形態にする。ユーザの選択により、表示部７はディスプレイ８の全体に画像を表示するか、又は、上半分の覆われていない部分に画像を表示する。表示部７のディスプレイ８の上半分の視認可能な領域は、小画面のＴＶ映像や、小画面のＰＣとして利用することができる。小画面のＰＣの利用としては、時計の表示やスケジューラの表示、スクリーンセーバーの表示、絵や写真の表示に例示される。この場合、入力部Ａ２および入力部Ｂ３が無駄なスペースを消費することが無く、ユーザの作業効率が向上する。加えて、何らかの拍子に入力部Ａ２を誤って押してしまう（例示：電源オフ）ような誤入力を防止できる。
【００４５】
図４Ａおよび図４Ｂは、本発明を適用したパーソナルコンピュータの実施の形態の構成の更に他の変化形を示す外観図である。図４Ａが正面から見た図であり、図４Ｂが側面から見た図である。ＰＣ１の構成は図１Ａおよび図１Ｂの場合と同じである。ただし、この場合、図３Ａおよび図３Ｂの状況から更にヒンジ部Ｂ１９において入力部Ｂ３をＲ３（図３Ｂ）のように回転して、入力部Ｂ３で表示部７（ディスプレイ８）の概ね上半分（入力部Ａ２が覆っていない部分の一部）を覆うように折り畳んでいる。すなわち、入力部Ａ２の第１面２ａだけでなく、入力部Ｂ３の第３面３ａが表示部７の表示面７ａと向かい合い、表示面７ａの一部を覆うように折り畳まれている。
【００４６】
例えば、ＰＣ１を全く使用しない場合（例示：電源オフ）のような入力部Ａ２及び入力部Ｂ３が不要な場合、ＰＣ１をこれらの図のような形態にする。この場合、入力部Ａ２および入力部Ｂ３でディスプレイ８を保護することができる。入力部Ａ２および入力部Ｂ３が無駄なスペースを消費することが無く、ユーザの作業効率が向上する。加えて、何らかの拍子に入力部Ａ２を誤って押してしまう（例示：電源オン）ような誤入力を防止し、電力の浪費を防止することができる。
【００４７】
すなわち、このＰＣ１は、ヒンジ部Ａ１８及びヒンジ部Ｂ１９で結合されているので、入力部Ａ２及び入力部Ｂ３のうちの使用しない方を折り畳んで邪魔にならないようにすることができる。ここでは、２つの入力部について説明しているが、３つ目の入力部を別のヒンジ機構で入力部Ｂ３に回転自在に取り付けることにより、さらに入力部を増やすことができる。
【００４８】
図５は、本発明を適用したパーソナルコンピュータの実施の形態の構成を示す図である。情報処理装置としてのパーソナルコンピュータ１は、状態判定部１４と機能制御部１５とを含むコンピュータプログラムとしての制御部１６を備える。状態判定部１４は、センサＡ４及びセンサＢ５の検知結果に基づいて、表示部７、入力部Ａ２及び入力部Ｂ３の状態を判定する。機能制御部１５は、状態判定部１４の判定結果に基づいて、入力部Ａ２及び入力部Ｂ３の操作機能や表示部７の表示を制御する。
【００４９】
図６は、本発明を適用したパーソナルコンピュータの実施の形態の構成を示すブロック図である。パーソナルコンピュータ１は、ＰＣ本体１７、表示部７、入力部Ａ２、入力部Ｂ３を備える。
ＰＣ本体１７は、情報処理用のＣＰＵ（Ｃｅｎｔｒａｌ  Ｐｒｏｃｅｓｓｉｎｇ  Ｕｎｉｔ）１１及びメモリＡ１２を含む。加えて、ＴＶ放送受像用のＣＰＵ２１、メモリＢ２２、アンテナ３３に接続された受信部３２を含む。そして、共用のＨＤＤ（Ｈａｒｄ  Ｄｉｓｃ  Ｄｒｉｖｅ）３０、ＤＶＤ（Ｄｉｇｉｔａｌ  Ｖｅｒｓａｔｉｌｅ  Ｄｉｓｃ）ドライブ３１及びマウス１０を含む。表示部７は、リモコン受信部３７、センサＡａ４−１、ディスプレイ８及び音声部９を含む。入力部Ａ２は、センサＡｂ４−２、センサＢａ５−１、選択部３５及びＴＶ操作部３６を含む。入力部Ｂ３は、センサＢｂ５−２、キーボード１３を含む。これらは共通のバスで接続されている。
【００５０】
図５の制御部１６（プログラム）は、例えば、メモリＡ又はＨＤＤ３に格納され、ＰＣ１の電源オンと共に、ＣＰＵ１１に展開される。そして、センサＡ４及びセンサＢ５の検知結果に基づいて、入力部Ａ２及び入力部Ｂ３の操作機能や表示部７の表示を制御する。
【００５１】
図７Ａおよび図７Ｂは、センサＡ４およびセンサＢ５の一例を示す構成図である。ここでは、センサＡａ４−１およびセンサＢａ５−１は、リードスイッチ４１である。センサＡｂ４−２およびセンサＢｂ５−２は、永久磁石４２である。図７Ａにおいて、リードスイッチ４１は、２本の強磁性体リード４３および４４の端部である接点部４５および４６が、ある接点間隔を持って相対し、ガラス管４７の中に封入されている。この状態からこのリードスイッチ４１にリードの軸方向に永久磁石４２で磁界を加えると、図７Ｂに示すように、リード４３および４４が磁化され、相対した自由端である接点部４５および４６が接触してスイッチをオンにすることができる。永久磁石４２が離れ磁界を消去すればリードの弾性により回路を開くことができる。
【００５２】
次に、本発明のコンピュータの動作方法（情報処理装置の動作）の実施の形態について説明する。
図９は、本発明のコンピュータの動作方法を適用したパーソナルコンピュータの動作方法の実施の形態示すフロー図である。この動作は、既述のセンサＡ４およびセンサＢ５の状態に基づいて、入力部Ａ２および入力部Ｂ３の動作を制御する。
【００５３】
既に電源がオンになっている状態において、状態判定部１４は、センサＡ４およびセンサＢ５の状態を取得（検出）する。すなわち、センサＡ４およびセンサＢ５が図７Ａに示すリードスイッチの場合、センサＡａ４−１およびセンサＢａ５−１のそれぞれがオンであるか否かについて検知する（ステップＳ０１）。
【００５４】
センサＡａ４−１がオフの場合（ステップＳ０２：Ｎｏ）、かつ、センサＢａ５−１がオン（ステップＳ０３：Ｙｅｓ）の場合、表示部７と入力部Ａ２と入力部Ｂ３との間の関係は、状態Ｓ１であると判定する（ステップＳ０５）。状態Ｓ１は、表示部７と入力部Ａ２と入力部Ｂ３とが互いに重ならない状態である。
【００５５】
この場合、機能制御部１５は、入力部Ａ２及び入力部Ｂ３を含む全入力機器からの入力を受け付け（使用）可能に制御する。それと共に、表示部７についての情報処理機能およびＴＶ受信表示機能のいずれもディスプレイ８の全画面で表示可能に制御する（ステップＳ０６）。この状態Ｓ１は、図１Ａおよび図１Ｂに示す状態であり、ＰＣ１を情報処理装置およびＴＶ受像機として同時に利用することができる。
【００５６】
センサＡａ４−１がオフの場合（ステップＳ０２：Ｎｏ）、かつ、センサＢａ５−１がオフ（ステップＳ０３：Ｎｏ）の場合、表示部７と入力部Ａ２と入力部Ｂ３との間の関係は、状態Ｓ２であると判定する（ステップＳ０７）。状態Ｓ２は、入力部Ａ２と入力部Ｂ３とが第２面２ｂと第４面３ｂとを向かい合わせるように重なり、かつ、表示部７とは重なっていない状態である。
【００５７】
この場合、機能制御部１５は、入力部Ａ２及びマウス１０からの入力を受け付け（使用）可能にし、入力部Ｂ３からの入力を受け付け不可能に制御する。それと共に、表示部７についての情報処理機能およびＴＶ受信表示機能のいずれもディスプレイ８の全画面で表示可能に制御する（ステップＳ０８）。この状態Ｓ２は、図２Ａおよび図２Ｂに示す状態であり、キーボード１３を用いない動作、例えば、ＴＶ表示やＤＶＤ再生に利用することができる。
【００５８】
センサＡａ４−１がオンの場合（ステップＳ０２：Ｙｅｓ）、かつ、センサＢａ５−１がオフ（ステップＳ０４：Ｎｏ）の場合、表示部７と入力部Ａ２と入力部Ｂ３との間の関係は、状態Ｓ３であると判定する（ステップＳ０９）。状態Ｓ３は、入力部Ａ２と入力部Ｂ３とが第２面２ｂと第４面３ｂとを向かい合わせるように重なり、かつ、入力部Ａ２と表示部７とが第１面２ａと表示面７ａとを向かい合わせるように重なっている状態である。
【００５９】
この場合、機能制御部１５は、マウス１０からの入力を受け付け（使用）可能にし、入力部Ａ２及び入力部Ｂ３からの入力を受け付け不可能に制御する。このとき、ディスプレイ８の下半分は入力部Ａ２および入力部Ｂ３で覆われ、上半分の画面のみ視認可能となる。状態２や状態１の場合のようにディスプレイ８の画面全体に画像を表示するか、視認可能な上半分の画面だけ画像を表示するかは、ユーザがマウス１０からの入力で選択する。例えば、機能制御部１５は、状態３が検出された場合、マウスの右クリックによるプルダウンメニューにその選択を行わせる項目を追加する。ユーザの選択に基づいて、表示部７についての情報処理機能およびＴＶ受信表示機能について、ディスプレイ８の画面の全体又は上半分（選択された画面の範囲としての選択画面）で表示可能に制御する（ステップＳ１０）。ユーザが特に選択を行わなかった場合には、直前の状態のままとする。
上半分の画面だけ画像を表示する場合、下半分の画面については、ユーザが視認不可能な領域であるので、所定の画像を表示する。ここで、所定の画像は、ディスプレイの消費電力の最も小さい画像信号のみからなる単色の画像や、表示制御の容易な画像に例示される。これらの画像情報は、例えばメモリ１２やＨＤＤ３０に格納される。
【００６０】
この状態Ｓ３は、図３Ａおよび図３Ｂに示す状態である。ディスプレイ８の上半分の画面しか使用しないモードをユーザが選択した場合では、例えば、小画面のＴＶ表示や、小画面のＰＣに利用することができる。小画面のＰＣの利用としては、時計やスケジューラ、株価情報、気象情報、スポーツの途中経過情報のような時間と共に変化する情報の表示、スクリーンセーバーの表示、インテリアとしての映像（絵や写真）の表示に例示される。この場合、必要に応じて自動的にインターネットに接続して情報を取得する。
【００６１】
あるいは、携帯情報端末に用いられる小画面およびポインティングデバイス対応の画面表示とすることもできる。この場合、ポインティングデバイスはマウス１０である。すなわち、入力部Ａ２および入力部Ｂ３を折り畳んだ状態で、携帯情報端末用の小画面対応表示およびアプリケーションにすることにより、入力部Ａ２および入力部Ｂ３のスペースを他の作業スペースとして利用できると共に、ＰＣ１も使用することができる。ユーザの作業効率の向上に貢献できる場合がある。
【００６２】
センサＡａ４−１がオンの場合（ステップＳ０２：Ｙｅｓ）、かつ、センサＢａ５−１がオフ（ステップＳ０４：Ｙｅｓ）の場合、表示部７と入力部Ａ２と入力部Ｂ３との間の関係は、状態Ｓ４であると判定する（ステップＳ１１）。状態Ｓ４は、表示部７と入力部Ａ２及び入力部Ｂ３とが、表示面７ａと第１面２ａ及び第３面３ａとを向かい合わせるように重なっている状態である。
【００６３】
この場合、機能制御部１５は、入力部Ａ２及び入力部Ｂ３を含む全入力機器からの入力を受け付け（使用）不可能に制御する。それと共に、表示部７についての情報処理機能およびＴＶ放送受信機能のいずれも表示不可能に制御する（ステップＳ１２）。そして、情報処理機能が動作中であった場合には、レジューム機能を実行し、直前の状態を保存する。そして、省電力モードや待機状態、電源オフなどの予め設定された状態に移行する（ステップＳ１３）。この状態Ｓ４は、図４Ａおよび図４Ｂに示す状態であり、ＰＣ１のディスプレイの視認が物理的に不可能である。すなわち、ＰＣ１を使用しない状態である。従って、できるだけ消費電力の少ない状態にする。その設定は、ユーザが行うことができる。
【００６４】
図８は、センサＡ４およびセンサＢ５の状態と、上記状態Ｓ１〜Ｓ４との対応を示すテーブルである。このテーブルは、メモリＡ１２またはＨＤＤ１３に格納されている。○（丸）印は、センサＡ（センサＡａ４−１）又はセンサＢ（センサＢａ５−１）がオンの状態を示す。×（バツ）印は、センサＡ（センサＡａ４−１）又はセンサＢ（センサＢａ５−１）がオフの状態を示す。ステップＳ０５、Ｓ０７、Ｓ０９およびＳ１１において、状態判定部１４が各状態を判定する際にこのテーブルを用いる。
【００６５】
本発明による情報処理装置（ＰＣ）は、入力部Ａ２および入力部Ｂ３を有し、２つの異なる機能（テレビジョン受信表示機能と情報処理機能）に対応させることができるので、機能別に異なる入力部で入力を行うことができ、誤操作を減らすことができる。入力部Ａ２および入力部Ｂ３は、ヒンジ部Ａ１８びヒンジ部Ｂ１９で表示部７に結合しているので、入力部Ａ２および入力部Ｂ３のうちの少なくとも一方について、使用しない方を折り畳んで邪魔にならないようにすることができ、ユーザの作業効率を向上できる。入力部Ａ２および入力部Ｂ３の状態に応じて表示部７の表示や、入力部Ａ２および入力部Ｂ３の入力を制限し、ユーザフレンドリーな機器とすることができる。表示部７に関する操作を行うときに各入力部（２、３）を探したり、離れた場所に取りに行く必要がない。
【図面の簡単な説明】
【００６６】
【図１Ａ】図１Ａは、本発明の情報処理装置（コンピュータ）を適用したパーソナルコンピュータの実施の形態の構成を示す外観図（正面）である。
【図１Ｂ】図１Ｂは、本発明の情報処理装置（コンピュータ）を適用したパーソナルコンピュータの実施の形態の構成を示す外観図（側面）である。
【図２Ａ】図２Ａは、本発明を適用したパーソナルコンピュータの実施の形態の構成の変化形を示す外観図（正面）である。
【図２Ｂ】図２Ｂは、本発明を適用したパーソナルコンピュータの実施の形態の構成の変化形を示す外観図（側面）である。
【図３Ａ】図３Ａは、本発明を適用したパーソナルコンピュータの実施の形態の構成の他の変化形を示す（正面）外観図である。
【図３Ｂ】図３Ｂは、本発明を適用したパーソナルコンピュータの実施の形態の構成の他の変化形を示す（側面）外観図である。
【図４Ａ】図４Ａは、本発明を適用したパーソナルコンピュータの実施の形態の構成の更に他の変化形を示す外観図（正面）である。
【図４Ｂ】図４Ｂは、本発明を適用したパーソナルコンピュータの実施の形態の構成の更に他の変化形を示す外観図（側面）である。
【図５】図５は、本発明を適用したパーソナルコンピュータの実施の形態の構成を示す図である。
【図６】図６は、本発明を適用したパーソナルコンピュータの実施の形態の構成を示すブロック図である。
【図７Ａ】図７Ａは、各センサの一例を示す構成図である。
【図７Ｂ】図７Ｂは、各センサの一例を示す構成図である。
【図８】図８は、各センサの状態と状態Ｓ１〜Ｓ４との対応を示すテーブルである。
【図９】図９は、本発明を適用したパーソナルコンピュータの動作方法の実施の形態示すフロー図である。
【符号の説明】
【００６７】
１    パーソナルコンピュータ（ＰＣ）
２    入力部Ａ
２ａ    第１面
２ｂ    第２面
３    入力部Ｂ
３ａ    第３面
３ｂ    第４面
４    センサＡ
４−１    センサＡａ
４−２    センサＡｂ
５    センサＢ
５−１    センサＢａ
５−２    センサＢｂ
７    表示部
７ａ    表示面
８    ディスプレイ
９    音声部
１０    マウス
１１    ＣＰＵ
１２    メモリＡ
１３    キーボード
１４    状態判定部
１５    機能制御部
１６    制御部
１７    ＰＣ本体
１７ａ    支持体
１８    ヒンジ部Ａ
１９    ヒンジ部Ｂ
２１    ＣＰＵ
２２    メモリＢ
３０    ＨＤＤ
３１    ＤＶＤドライブ
３２    受信部
３３    アンテナ
３５    選択部
３６    ＴＶ操作部
３７    リモコン受信部
４１    リードスイッチ
４２    永久磁石
４３、４４    リード
４５、４６    接点部
【図１Ａ】
2005141336.tif 000003
【図１Ｂ】
2005141336.tif 000004
【図２Ａ】
2005141336.tif 000005
【図２Ｂ】
2005141336.tif 000006
【図３Ａ】
2005141336.tif 000007
【図３Ｂ】
2005141336.tif 000008
【図４Ａ】
2005141336.tif 000009
【図４Ｂ】
2005141336.tif 000010
【図５】
2005141336.tif 000011
【図６】
2005141336.tif 000012
【図７Ａ】
2005141336.tif 000013
【図７Ｂ】
2005141336.tif 000014
【図８】
2005141336.tif 000015
【図９】
2005141336.tif 000016